(57)【要約】【課題】使用者が風の範囲および風速を適宜変更することが可能な送風装置を提供する。【解決手段】送風装置は、起立させた複数のピラーと、ピラーは側部にピラーを起立させた方向に対して垂直方向に高圧空気を吹き出す吹出口を備え、複数のピラーは、間隙を設けて配置され、隣接する前記ピラーの前記間隙に前記吹出気流に誘引される誘引空気流が通過する誘引風路が形成され、ピラーは、鉛直方向上側に吹出口を設けた上側吹出ピラーと、鉛直方向下側に吹出口を設けた下側吹出ピラーとを備え、さらに吹出口から送風される気流を制御する制御部とを備え、制御部は、上側吹出口からの送風気流と下側吹出口からの送風気流とをそれぞれ異なる気流で送風することを備えている。【選択図】図２
2019148171.tif 000002
【特許請求の範囲】
【請求項１】
起立させた複数のピラーと、前記ピラーの側部には、前記ピラーを起立させた方向に対して垂直方向に高圧空気発生部で発生した高圧空気を外部に吹出気流として吹き出す吹出口を備え、複数の前記ピラーは、各前記ピラーの前記吹出口が同一方向となるように間隙を設けて配置され、隣接する前記ピラーの前記間隙に前記吹出気流に誘引される誘引空気流が通過する誘引風路が形成され、
前記ピラーは、鉛直方向上側に上側吹出口を設けた上側吹出ピラーと、鉛直方向下側に下側吹出口を設けた下側吹出ピラーとをそれぞれ備え、
さらに、前記上側吹出口および前記下側吹出口から送風される気流を制御する制御部を備え、
前記制御部は、前記上側吹出口からの送風気流と、前記下側吹出口からの送風気流とをそれぞれ異なる気流で送風することを特徴とする送風装置。
【請求項２】
前記制御部は、前記上側吹出口から定常風を送風し、前記下側吹出口からゆらぎ風を送風することを特徴とする請求項１に記載の送風装置。
【請求項３】
前記制御部は、前記上側吹出口から定常風を送風し、前記下側吹出口からは送風しないことを特徴と請求項１に記載の送風装置。
【請求項４】
前記制御部は、前記上側吹出口および前記下側吹出口から同一のゆらぎ風を位相が異なるように送風することを特徴とする請求項１に記載の送風装置。
【発明の詳細な説明】
【技術分野】
【０００１】
本発明は、居室内や屋外に設置され、直接気流による体感温度の減少や室内の空気の循環に使用される扇風機などの送風装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている（例えば、特許文献１参照）。
【０００３】
以下、その送風装置について図８および図９を参照しながら説明する。
【０００４】
図８には、送風機組立体１００の正面図を、図９には、送風機組立体１００の要部断面図を示している。送風機組立体１００は、中央開口部１０２を画定する環状ノズル１０１を有している。送風機組立体１００の基部１１６内部には、環状ノズル１０１を通る空気流を生じさせる送風装置が配置されている。送風装置は、インペラ（羽根車）１３０が、モータハウジング１２６と共に配置されたモータ１２２から外方に延びる回転シャフトに連結され、ディフューザ１３２が、インペラ１３０の下流側に位置決めされている。モータ１２２は、図示しない電気接続部及び電源に接続され、図８に示す複数個の選択ボタン１２０により、ユーザは、送風機組立体１００を操作することができる。
【０００５】
上記構成で、送風機組立体１００は、以下のように動作する。
【０００６】
使用者が複数個の選択ボタン１２０の中から好みのボタンを選択してモータ１２２が起動されると、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。空気流は、口１１２に入る際に絞られ、口１１２の出口１４４で更に絞られる。この絞りにより、環状ノズル１０１内に圧力が生じる。
【０００７】
このように作られた空気流は、絞りにより生じる圧力に打ち勝ち、一次空気流として出口１４４を通って出る。一次空気流は、ガイド部分１４８の配置により、ユーザに向かって集中または集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００８】
【特許文献１】特開２０１０−０７７９６９号公報
【発明の概要】
【発明が解決しようとする課題】
【０００９】
このような従来の送風装置では、送風方向は常に変化することなく一定であるため、吹出す送風方向及び送風範囲が固定されたものであり、使用者がその時々に望む送風方向及び送風範囲を適宜変更できないという課題を有していた。
【００１０】
そこで本発明は、上記従来の課題を解決するため、誘引気流を用いて送風方向及び送風範囲及び風速を可変させる送風装置を提供することを目的とする。
【課題を解決するための手段】
【００１１】
そして、この目的を達成するために、本発明は、起立させた複数のピラーと、ピラーの側部には、ピラーを起立させた方向に対して垂直方向に高圧空気発生部で発生した高圧空気を外部に吹出気流として吹き出す吹出口を備え、複数のピラーは、各ピラーの吹出口が同一方向となるように間隙を設けて配置され、隣接するピラーの間隙に吹出気流に誘引される誘引空気流が通過する誘引風路が形成され、ピラーは、鉛直方向上側に上側吹出口を設けた上側吹出ピラーと、鉛直方向下側に下側吹出口を設けた下側吹出ピラーとをそれぞれ備え、さらに、上側吹出口および下側吹出口から送風される気流を制御する制御部を備え、制御部は、上側吹出口からの送風気流と、下側吹出口からの送風気流とをそれぞれ異なる気流で送風することを特徴とする送風装置としたものであり、これにより所期の目的を達成するものである。
【発明の効果】
【００１２】
本発明によれば、吹出口から送風される気流を制御する制御部は、制御部は、上側吹出口からの送風気流と、下側吹出口からの送風気流とをそれぞれ異なる気流で送風することにより、上下の吹出ピラーからそれぞれ異なる風量及び風速の気流を送風させることで、上昇方向及び下降方向における誘引気流が発生し、送風方向、送風範囲、風速を可変させることができる。したがって、本発明の送風装置は、様々な送風方向、送風範囲、風速の気流を送風でき、使用者が好む涼感を得るような送風や、室内の空気循環を目的とする送風等を適宜選択することができるという効果がある。
【図面の簡単な説明】
【００１３】
【図１】本発明の送風装置の概要を説明する前方斜視図
【図２】同実施の形態１の送風装置の斜視図
【図３】同実施の形態１の送風装置の正面図
【図４】（ａ）同実施の形態１の送風装置の側面図、（ｂ）同実施の形態１の送風装置の側面図
【図５】（ａ）同実施の形態１の送風装置の側面図、（ｂ）同実施の形態１の送風装置の側面図、（ｃ）同実施の形態１の送風装置の側面図
【図６】同実施の形態１のフローチャート図
【図７】同実施の形態１の送風装置の正面図
【図８】従来技術の一例を示す側面図
【図９】従来技術の一例を示す側面図
【発明を実施するための形態】
【００１４】
本発明の請求項１に係わる送風装置は、起立させた複数のピラーと、ピラーの側部には、ピラーを起立させた方向に対して垂直方向に高圧空気発生部で発生した高圧空気を外部に吹出気流として吹き出す吹出口を備え、複数のピラーは、各ピラーの吹出口が同一方向となるように間隙を設けて配置され、隣接するピラーの間隙に吹出気流に誘引される誘引空気流が通過する誘引風路が形成され、ピラーは、鉛直方向上側に上側吹出口を設けた上側吹出ピラーと、鉛直方向下側に下側吹出口を設けた下側吹出ピラーとをそれぞれ備え、さらに、上側吹出口および下側吹出口から送風される気流を制御する制御部を備え、制御部は、上側吹出口からの送風気流と、下側吹出口からの送風気流とをそれぞれ異なる気流で送風することを特徴とするものである。
【００１５】
これにより、上側と下側の吹出口からそれぞれ異なる風量及び風速の気流を送風させることで、高さ方向において風量及び風速が異なる誘引気流が発生し、送風装置の下流側において送風方向、送風範囲、風速を適宜可変させることができる。したがって、本発明の送風装置は、様々な送風方向、送風範囲、風速の気流を送風でき、使用者が好む、涼感を得るような送風や、室内の空気循環を目的とする送風等を適宜選択することができるという効果がある。
【００１６】
また、制御部は、上側吹出口から定常風を送風し、下側吹出口からゆらぎ風を送風する制御を行ってもよい。これにより、下側吹出口からのゆらぎ気流が上側吹出口からの定常気流よりも気流速度が大きい場合、気流速度が大きい気流方向に周囲の空気が引き寄せられるため、送風装置から送風される空気の流れは、ゆらぎ気流側の下方へ向かう。また、下側吹出口からのゆらぎ気流が、上側吹出口からの定常気流よりも気流速度が小さい場合、気流速度が速い方向に周囲の空気が引き寄せられるため、送風装置から送風される空気の流れは、定常気流側の上方へ向かうこととなる。よって、使用者が直接的な強い風を浴びず、室内の空気循環を行いたい場合、使用者に対して速度変化や風向変化のあるゆらぎ気流を送風することにより、より自然な風を提供することができ、また室内の空気循環を促すことができる。したがって、使用者は、定常風を長時間浴びることで体温が低下するなどの不快なストレスを感じることなく、快適なゆらぎのある風を得ることができ、室内の空気循環を促すことができる。
【００１７】
また、制御部は、上側吹出口から定常風を送風し、下側吹出口からは送風しない制御としてもよい。これにより、上部から風速の速い定常気流を送風し、下部からは送風されないため、使用者に直接的に風を当てることなく、室内の空気循環をより効率的に行い空気を攪拌することで温度ムラを抑制することも可能となる。
【００１８】
また、制御部は、上側吹出口および下側吹出口から同一のゆらぎ風を位相が異なるように送風する制御としてもよい。これにより、上部と下部どちらもゆらぎ気流を吹出していることで、定常風を長時間浴びることで体温が低下するなどの不快なストレスを感じることなく、快適でより自然さを感じられるゆらぎの風を得ることができ、室内の空気循環を促すことができる。
【００１９】
以下、本発明を実施するための形態について、添付図面を参照して説明する。なお、以下の実施の形態は、本発明を具体化した一例であって、本発明の技術的範囲を限定する性格のものではない。また、重複を避けるため、全図面を通して、同一の部位については同一の符号を付して二度目以降の説明を省略している。
【００２０】
（実施の形態１）
まず、図１、２、３を参照して、本発明の第１実施形態に係る送風装置１について説明する。図１は、居室に設置された送風装置１の斜視図であり、図２は、送風装置１の詳細な斜視図、図３は送風装置の正面図である。
【００２１】
送風装置１は、居室内に向かって気流を送風するものであり、図１に示す通り、居室の一壁面である床面から起立させた複数の等しい長さのピラー１３（本実施形態では６個）を備えている。各ピラー１３は、その断面形状が長方形形状となっており、これら複数のピラー１３の上部は天板３２で繋がれている。なお、ピラー１３の上部を天板３２で繋がず、複数のピラー１３の間隙が上部で開放されていてもよい。また、ピラー１３は、天井面から下方へ突出させてもよい。また、ピラー１３はそれぞれ異なる長さや断面形状であってもよい。
【００２２】
図２に示すように、６本のピラー１３のうち、中央の２本には上側吹出ピラー１３ａが配置され、上側吹出ピラー１３ａの外側にそれぞれ２本ずつ、合計４本の下側吹出ピラー１３ｂが配置されている。上側吹出ピラー１３ａは、起立する方向に対して垂直方向に空気を吹き出す。一方、下側吹出ピラー１３ｂは、起立する方向に対して垂直方向に空気を吹き出す吹出口５ｂを上側吹出ピラー１３ａの吹出口５ａよりも筐体２側に備えている。
【００２３】
上側吹出ピラー１３ａにおいて、高さ方向の中央部より上側に、中央部から筐体２とは異なる一方の端部（以後、上端と称する）にわたって吹出口５ａを設け、下側吹出ピラー１３ｂにおいて、高さ方向の中央部より下側に、中央部から筐体２側の端部（以後、下端と称する）にわたって吹出口５ｂを設けている。ここで、吹出口５ａ、吹出口５ｂをそれぞれのピラー１３の上側半分、下側半分としたが、中央部に重なるように、吹出口５ａ、吹出口５ｂをピラー１３の半分以上の寸法としても良く、すなわち吹出口５ａを上側吹出ピラー１３ａの上端から半分以下の寸法、吹出口５ｂを下側吹出ピラー１３ｂの下端から半分以上の寸法としても良い。上側吹出ピラー１３ａと下側吹出ピラー１３ｂは、吹出口５ａ、吹出口５ｂの吹出方向が同一方向となるように、隣接するピラー１３との間に誘引風路６としての間隙を設けて同一平面上に配置されている。ここで、同一平面とは、全てのピラー１３の吹出口５ａ、吹出口５ｂを備える側面と吹出口５ａ、吹出口５ｂと対向する側面が一致し、一直線状に並んでいる状態を示す。
【００２４】
また、図２に示すように、筐体２は、吹出口５ａ、吹出口５ｂと相対する側面に空気を取り入れる吸込口７を備えている。また、図３に示すように、それぞれのファン８の吹出口の下流で筐体２の内側上部に、チャンバー１０ａ、チャンバー１０ｂ、チャンバー１０ｃの３つが設けられ、それぞれのチャンバー１０は１つのファン８と２本のピラー１３と連通している。なお、本実施の形態では、１台のモータ、１個のファン、１個のチャンバー、２本のピラーという組み合わせを１送風単位としているが、それぞれ１つずつ組み合わせる構成や各構成部品を複数個の組み合わせる構成としてもよい。
【００２５】
また、ファン８とモータ９が配置される空間を１つの空間としているが、筐体２の内部に仕切りを設けて複数の空間、たとえば本実施の形態の場合では、ファン、モータの１つずつの空間に仕切り、３つの空間としても良い。
【００２６】
また、筐体２には、吹出口から送風される気流を制御する制御部１１が、筐体２の側面に配置されている。制御部１１は、上側吹出ピラー１３ａ及び下側吹出ピラー１３ｂより送風される気流を制御するため、上側吹出ピラー１３ａのファン８ｂのモータ９ｂ、下側吹出ピラー１３ｂのファン８ａ、８ｃのモータ９ａ、９ｃに対して、回転数を制御する電気信号を送信する。これらの電気信号は、制御部１１を構成する回路基板に設けられたマイクロプロセッサ及びメモリ等の情報演算処理を経て、各モータ９ａ、モータ９ｂ、モータ９ｃに送信される。
【００２７】
次に、図３、図４、図５を用いて送風装置１の動作について説明する。図４、図５は送風装置１の側面図を示している。制御部１１は、上側吹出ピラー１３ａからの送風気流と、下側吹出ピラー１３ｂからの送風気流とをそれぞれ異なる気流制御で送風する。制御部１１が下側吹出ピラー１３ｂと連通するファン８ａ、ファン８ｃ、モータ９ａ、モータ９ｃを駆動させると、ファン８ａ、ファン８ｃが回転することにより、室内空気は吸込口７から筐体２の内部に取り込まれる。取り込まれた空気は、ファン８ａ、ファン８ｃを通過し、チャンバー１０ａ、１０ｃへ流入する。チャンバー１０ａ、１０ｃに流入した空気は、チャンバー１０ａ、１０ｃでそれぞれ２本の下側吹出ピラー１３ｂに分流され、下側吹出ピラー１３ｂの内部を通過し、吹出口５ｂから室内空間へ吹出され、吹出気流１４となる。
【００２８】
制御部１１は、上側吹出ピラー１３ａからの送風気流と、下側吹出ピラー１３ｂからの送風気流とをそれぞれ異なる気流制御で送風する。異なる気流とは、上側吹出口５ａ及び下側吹出口５ｂから送風される気流の風速及び風量が異なる気流である。また、小風量を送風する弱気流と大風量を送風する強気流とを交互に発生させるゆらぎ気流の場合、ゆらぎの位相を異なるようにすることで、異なる気流を送風することも可能である。それぞれのモータ９ａ、モータ９ｃの回転数を適宜設定することで、上側吹出口５ａ及び下側吹出口５ｂからそれぞれ異なる気流を送風することができる。本実施の形態では、上側吹出口５ａ及び下側吹出口５ｂからそれぞれ異なる気流を送風させるため、個別の、ファン８ａ、ファン８ｃを設けているが、一つのファンであっても、上側吹出口５ａ及び下側吹出口５ｂにそれぞれダクトを備えることで、異なる気流を送風させることも可能である。
【００２９】
図３で示す誘引風路６と最外部の下側吹出ピラー１３ｂの外側の空気が吹出気流１４により誘引され、誘引気流１５となる。吹出気流１４と誘引気流１５とは送風装置１の吹出方向前方で合流し、広範囲に略均一な風速の面気流が送風できる。
【００３０】
また、図３に示すように、制御部１１が上側吹出ピラー１３ａと連通するファン８ｂ、モータ９ｂを駆動させると、ファン８ｂが回転することにより、室内空気は吸込口７から筐体２の内部に取り込まれる。取り込まれた空気は、ファン８ｂを通過し、チャンバー１０ｂへ流入する。チャンバー１０ｂに流入した空気は、チャンバー１０ｂから２本の上側吹出ピラー１３ａに分流され、上側吹出ピラー１３ａの内部を通過し、吹出口５ａから室内空間へ吹出され、吹出気流１４となる。吹出気流１４により、誘引風路６と最外部の下側吹出ピラー１３ｂの外側の空気が誘引され、誘引気流１５となる。吹出気流１４と誘引気流１５は送風装置１の吹出方向前方で合流され、送風装置１の上方でも広範囲に略均一な風速の面気流が送風できる。
【００３１】
図４に示すように、制御部１１は、上側吹出口５ａからは定常気流２２、下側吹出口５ｂからはゆらぎのあるゆらぎ気流２３を吹き出す。
【００３２】
このような構成によれば、図４の（ａ）に示すように、下側吹出口５ｂからのゆらぎ気流２３と誘引気流１５が、上側吹出口５ａからの定常気流２２と誘引気流１５よりも気流速度が大きい場合、気流速度が大きい気流方向に周囲の空気が引き寄せられるため、送風装置１から送風される空気の流れ２４は、ゆらぎ気流２３側の下方へ向かうこととなる。
【００３３】
また、図４の（ｂ）に示すように、下側吹出口５ｂからのゆらぎ気流２３と誘引気流１５が、上側吹出口５ａからの定常気流２２と誘引気流１５よりも気流速度が小さい場合、気流速度が速い方向に周囲の空気が引き寄せられるため、送風装置１から送風される空気の流れ２４は、定常気流２２側の上方へ向かうこととなる。さらに、下側吹口５ｂからのゆらぎ気流２３は時間的に速度変化を行うためこのように空気の流れ２４は上方や下方へ向きが変化することとなる。
【００３４】
このような上下の各吹出ピラー１３から風量を変化させ送風させるモータ制御を行うことで、都度使用者が好む、涼感を得るような送風や、室内の空気循環をさせるような送風が可能となるという効果がある。例えば、春や秋などにおいては、直接的な強い風を浴びず、室内の空気循環を行いたい場合、図４の（ｂ）に示すような、気流制御を行うことができる。図４の（ｂ）に示すような気流制御を行うことで、座っている使用者に対して速度変化のあるゆらぎ気流２３により自然な風を提供することができる。一方、上側吹出ピラーは、定常風の定常気流２２を送風することで室内の空気循環を促すことができる。したがって、使用者は、定常風を長時間浴びることで体温が低下するなどの不快なストレスを感じることなく、快適なゆらぎの風を得ることができ、室内の空気循環を促すことができる。
【００３５】
なお、制御部１１は、ゆらぎ気流２３が定常気流２２よりも常に速度が遅い、または速い制御を行ってもよい。これにより、送風装置１から送風される空気の流れ２４は常に下方または上方へ向かうこととなる。
【００３６】
なお、図５（ａ）に示すように、制御部１１は上側吹出口５ａから定常気流２２を吹出す制御を行い、下側吹出口５ｂからは送風しない制御でもよい。これにより、たとえば冬において、送風装置１を稼動させる場合、図３に示したように、制御部１１が上側吹出ピラー１３ａと連通するファン８ｂのモータ９ｂを駆動させると、ファン８ｂが回転することにより、室内空気は吸込口７から筐体２の内部に取り込まれる。取り込まれた空気は、ファン８ｂを通過し、チャンバー１０ｂへ流入する。チャンバー１０ｂに流入した空気は、チャンバー１０ｂで２本の上側吹出ピラー５ａに分流され、上側吹出ピラー５ａの内部を通過し、上側吹出口５ａから室内空間へ吹出される吹出気流１４となる。吹出気流１４により、２本の上側吹出ピラー１３ａの間に形成された誘引風路６と上側吹出ピラー１３ａと隣接する下側吹出ピラー１３ｂとの間までに形成された誘引風路の空気が誘引され、誘引気流１５となる。よって、上部から定常気流２２を送風し、下部からは送風されないため、使用者に直接的に風を当てることなく、室内の空気循環をより効率的に行い空気を攪拌することで室内の温度ムラを抑制することも可能となる。
【００３７】
また、図５（ｂ）、（ｃ）に示すように、制御部１１は上側吹出口５ａおよび下側吹出口５ｂから同一のゆらぎ気流２３を位相が異なるように送風する制御を行ってもよい。さらに、図５（ｂ）に示すように、下側吹出口５ｂからのゆらぎ気流２３と誘引気流１５が、上側吹出口５ａからのゆらぎ気流２３と誘引気流１５よりも気流速度が小さい場合、気流速度が大きい気流方向に周囲の空気が引き寄せられる。よって、送風装置１から送風される空気の流れ２４は、上側吹出口５ａからのゆらぎ気流２３側の上方へ向かうこととなる。
【００３８】
また、図５の（ｃ）に示すように、下側吹出口５ｂからのゆらぎ気流２３と誘引気流１５が、上側吹出口５ａからのゆらぎ気流２３と誘引気流１５よりも気流速度が大きい場合、気流速度が大きい方向に周囲の空気が引き寄せられるため、送風装置１から送風される空気の流れ２４は、下側吹出口５ｂのゆらぎ気流２３側の下方へ向かうこととなる。さらに、それぞれのゆらぎ気流２３は時間的に速度変化を行うためこのように空気の流れ２４は上方や下方へ向きや速度が変化することとなる。これにより、上側吹出口５ａおよび下側吹出口５ｂどちらからも位相と速度の異なるゆらぎ気流を吹出していることで、定常風を長時間浴びることで体温が低下するなどの不快なストレスを感じることなく、快適なゆらぎの風を得ることができ、室内の空気循環を促すことができる。さらに、上側吹出口５ａおよび下側吹出口５ｂからどちらもゆらぎ気流２３を吹出すことにより室内を動く空気は、使用者にとってより自然を感じるものとすることが可能となる。
【００３９】
図６にフローチャート図を示し、以下では制御方法について説明する。図６に示したＳ１で使用者が操作スイッチをＯＮにすると、送風装置に電源が入り、使用者は、たとえば送風装置１のリモコンで現在の季節を選択（Ｓ２）する。季節が選択されるとマイコンは、その季節に従って（Ｓ３、Ｓ４）送風モードを判断し、モータ８ａ、モータ８ｂ、モータ８ｃに指示を出し、送風が開始される。たとえば、季節が冬と判断されれば、Ｓ５の上側・風量一定モードで送風が行われ（第一気流制御の一例）、季節が夏と判断されれば、Ｓ６の上側・下側ともにゆらぎ風モードで送風、季節が冬、夏以外と判断されれば、Ｓ７の上側定常・下側ゆらぎ風モード（第一気流制御の一例）で送風が行われることとなる。さらに、使用者がたとえばリモコンの停止を選択（Ｓ８）すると、Ｓ９で全てのモータが停止し、Ｓ１０で送風も停止する。これにより、使用者はその都度の季節に応じて、リモコンなどで簡単に送風モードを変更することができ、より快適な室内空間で過ごすことが可能となる。
【００４０】
なお、温度センサーを設けることで、送風速度を室温などによって変化させることができるノッチ制御を搭載してもよい。これにより、室内の温度が高いときと低いときでの風速を相対的に速くまたは遅くさせることで、より使用者が快適感を得られることができる。
【００４１】
なお、リモコンで季節を選択するとしたが、季節に限らず、現在の温度、気流モードなどをＳ３、Ｓ４の判断基準へ割り当てる構成としてもよい。
【００４２】
なお、送風装置は、図７に示す通り、床下４０の内部に、高圧空気を発生するための羽根車１６と羽根車１６を駆動するためのモータで構成されたファンモータ１８が設けられた構成でもよい。ピラー１３を起立させた方向に対して垂直方向の一方向に、ファンモータ１８で発生した高圧空気を吹出す吹出口１９を備えている。吹出口１９は、ピラー１３の短辺側の側面に設けられ、ピラー１３の内部には、そのファンモータ１８で発生した高圧空気を吹出口１９に導くためのダクト２０を備えている。ダクト２０は、少なくともピラー１３と同数備えている。ファンモータ１８とダクト２０の間には高圧空気を各ノズル１３のダクト２０へ分流するチャンバー２１ａ、２１ｂが、床下４０に設けられている。
【００４３】
また、図７に示すように、ファンモータ１８、により発生した高圧空気は、床下４０にある上側吹出ピラー１３ａ用の流路１２ａを介してチャンバー２１ａに導かれ、それぞれのダクト２０に分流される。また、同様にファンモータ１８、により発生した高圧空気は、床下４０にある下側吹出ピラー１３ｂ用の流路１２ｂを介してチャンバー２１ｂに導かれ、それぞれのダクト２０に分流される。このような構成によれば、制御部１１からの指令で、送風装置１が稼動すると、ファンモータ１８が駆動し、羽根車１６が回転することにより高圧空気が発生し、チャンバー２１ａ、チャンバー２１ｂで複数のダクト２０に分流され、上側吹出口５ａ、下側吹出口５ｂから送風され、第１気流制御４１により、それぞれの送風が可能となる。なお、ファンモータ１８やチャンバーなどを床下４０に設ける構成としたが、それに限らず、たとえば天井裏などに全てまたは一部設ける構成としてもよい。
【００４４】
また、本実施の形態において、ピラー１３は全て吹出方向と平行に備えられているが、ピラー１３の向きや本数に特に制限は無い。ただし、ピラー１３の中央から外側に設けられたピラー１３に向かうにつれて、中央部のピラー１３に対して空気の吹出方向が離れていくように広角に備えるようにしてもよい。これにより、送風装置１から一定の距離までは送風装置１中央部に気流が集まる現象を抑制することになり、風の範囲を広くすることが可能になる。
【００４５】
また、本実施の形態において、ピラー１３の本数を６本としているが、これらの設計値に特に制限は無い。ただし、使用者がスペースやデザインによって、送風装置１の幅およびピラー１３の本数等を適宜変更することができる。
【産業上の利用可能性】
【００４６】
本発明にかかる送風装置および送風機は、使用者が風の範囲を適宜変更することができる送風装置として有用である。
【符号の説明】
【００４７】
１    送風装置
２    筐体
５ａ    上側吹出口
５ｂ    下側吹出口
６    誘引風路
７    吸込口
８ａ    ファン
８ｂ    ファン
８ｃ    ファン
９ａ    モータ
９ｂ    モータ
９ｃ    モータ
１０ａ    チャンバー
１０ｂ    チャンバー
１０ｃ    チャンバー
１１    制御部
１２ａ    流路
１２ｂ    流路
１３    ピラー
１３ａ    上側吹出ピラー
１３ｂ    下側吹出ピラー
１４    吹出気流
１５    誘引気流
１６    羽根車
１８    ファンモータ
１９    吹出口
２０    ダクト
２１ａ    チャンバー
２１ｂ    チャンバー
２２    定常気流
２３    ゆらぎ気流
２４    空気の流れ
３２    天板
４０    床下
１２２    モータ
１２４    空気入口
１２６    モータハウジング
１３０    インペラ
１３２    ディフューザ
１３４    入口
１３６    出口
１４４    出口
１４８    ガイド部分
【図１】
2019148171.tif 000003
【図２】
2019148171.tif 000004
【図３】
2019148171.tif 000005
【図４】
2019148171.tif 000006
【図５】
2019148171.tif 000007
【図６】
2019148171.tif 000008
【図７】
2019148171.tif 000009
【図８】
2019148171.tif 000010
【図９】
2019148171.tif 000011